(57)【特許請求の範囲】
【請求項１】
成形機の画面表示切換制御方法であって、
当該成形機の制御手段により、
各種動作を設定するための動作設定画面を所定時間表示し、該所定時間経過後に前記動作設定画面を前記成形機の動作状況を表す動作工程画面に切り換え表示し、該切り換えられた動作工程画面を所定時間経過後にスタンバイモードによる図形や文字を表示しない非表示画面に切り換え表示し、該非表示画面のときに該非表示画面をタッチして操作した際、該非表示画面を前記動作工程画面に復帰させるのではなく、ユーザーが使用頻度の高い項目として予め選択設定した選択項目と該選択項目に対応する数値を表す選択項目画面に切り換え表示するように制御することを特徴とする成形機の画面表示切換制御方法。
【発明の詳細な説明】
【技術分野】
【０００１】
本発明は、ユーザーの目的に見合った画面表示に自動的に切り換えることができる成形機の画面表示切換制御方法に関する。
【背景技術】
【０００２】
成形品を成形する射出成形機においては、射出成形機の動作状況や各種動作を画面表示する表示部を備えたものが一般的に利用されており、例えば、特許文献１には、オプション機能の名称、設定状態、設定画面の名称等を表示部に表示する射出成形機が開示されている。
【先行技術文献】
【特許文献】
【０００３】
【特許文献１】特開２０１０−１０５２８０号公報
【発明の概要】
【発明が解決しようとする課題】
【０００４】
しかし、前記特許文献１においては、各種情報を表示部に表示することはできるものの、射出成形機を使用するユーザーによっては、いつも表示しておきたい使用頻度の高い画面は多種多様であることから、それぞれの目的に見合うようカスタマイズ設定ができるようにし、よりユーザーの利便性の向上を図ることが望まれていた。
【０００５】
本発明は、上記課題に鑑みてなされたものであり、表示部にユーザーの目的に見合った使用頻度の高い画面を自動的に切り換えて表示することができる成形機の画面表示切換制御方法を提供することを目的とする。
【課題を解決するための手段】
【０００６】
請求項１に係る成形機の画面表示切換制御方法の発明は、
成形機の画面表示切換制御方法であって、
当該成形機の制御手段により、
各種動作を設定するための動作設定画面を所定時間表示し、該所定時間経過後に前記動作設定画面を前記成形機の動作状況を表す動作工程画面に切り換え表示し、該切り換えられた動作工程画面を所定時間経過後にスタンバイモードによる図形や文字を表示しない非表示画面に切り換え表示し、該非表示画面のときに該非表示画面をタッチして操作した際、該非表示画面を前記動作工程画面に復帰させるのではなく、ユーザーが使用頻度の高い項目として予め選択設定した選択項目と該選択項目に対応する数値を表す選択項目画面に切り換え表示するように制御することを特徴とする。
【発明の効果】
【０００７】
本発明によれば、スタンバイモードによる図形や文字が表示されていない非表示画面をタッチ操作した際、使用頻度の高くない動作工程画面が復帰して表示されるのではなく、使用頻度の高い画面（選択項目画面）を自動的に表示部に表示させることから、ユーザーの目的に適った使用頻度の高い画面に自動的に切り換えられることが可能となり、煩雑な操作を解消でき利便性の向上を図ることができる。
【図面の簡単な説明】
【０００８】
【図１】本発明の一例の射出成形機を示す概略図である。
【図２】射出成形機の制御系統を示すブロック図である。
【図３】射出成形機の表示部で切り換わる画面の遷移を示す説明図である。
【図４】表示部に選択項目画面を表した状態を示す説明図である。
【図５】表示部にユーザー指定画面を表した状態を示す説明図である。
【図６】ユーザーが選択項目画面で表示される項目を設定するときの設定画面を示す説明図である。
【発明を実施するための形態】
【０００９】
以下、本発明の実施形態を図１〜図６により以下に説明する。もちろん、本発明は、その発明の趣旨に反しない範囲で、本実施形態において説明した以外の構成のものに対しても容易に適用可能なことは説明を要するまでもない。
【００１０】
本実施例における成形機たる射出成形機１は、図１に示すように、一般的に用いられている公知のものとほぼ同様の構造を有しており、機械的な動作により物品の成形を行い、金型２の開閉を行う型締ユニット３と樹脂材料を加熱溶融し金型２のキャビティ４に射出する射出ユニット５などを構成する成形機構部６を備えている。
【００１１】
また、射出成形機１には、図２に示すように、ユーザーに対する出力インターフェースである表示部１０とユーザーからの入力を受ける入力インターフェースである入力部１１とが兼用されたタッチパネル１２と、後述する画面の切り換えのほか、型締ユニット３や成形機構部６などの射出成形機１の全体の制御を行う制御手段１３とを備え、制御手段１３には、タッチパネル１２の操作により入力される入力部１１からの信号の判別などを行う入力処理手段１４と、表示部１０に表示される各種画面の表示時間を計測するタイマ部１５などを備える。
【００１２】
ここで、表示部１０に表示される各種画面の切換表示動作について図３により説明する。
【００１３】
射出成形機１を稼動可能な初期状態にすると、制御手段１３により、表示部１０に射出成形機１の各種動作を設定するための動作設定画面２０が表示される。
【００１４】
タイマ部１５の計測時間に基づき、動作設定画面２０が所定時間である５分間表示され、さらに当該５分が経過すると、動作設定画面２０は、制御手段１３により射出成形機１の動作状況を表す動作工程画面２１に切り換えられる。
【００１５】
次に、動作工程画面２１が、タイマ部１５の計測時間に基づき５分間表示されると、制御手段１３は、５分経過後に省電力化を図るためのスタンバイモードに設定を変更し、それにより表示部１０の画面をオフにし、当該画面は図形や文字等は全く表示されていない非表示画面２２となる。
【００１６】
こうしたスタンバイモードにおいて、ユーザーが、表示部１０に何も表示されていない非表示画面２２にタッチする操作を行うと、制御手段１３は、スタンバイモードになる直前の動作工程画面２１に復帰するのではなく、射出成形機１の起動時に初期表示されていた、使用頻度の高い動作設定画面２０へ切り換え表示を行う。
【００１７】
以上のような本射出成形機１によれば、表示部１０に動作設定画面２０を所定時間である５分間表示し、所定時間である５分経過後にこの動作設定画面２０を動作工程画面２１に切り換えて表示し、切り換えられた動作工程画面２１を所定時間である５分経過後に、スタンバイモードによる非表示画面２２にし、該非表示画面２２の状態にあるときに該画面をタッチして操作した際、この非表示画面２２を、使用頻度の高い動作設定画面２０に切り換えて表示する制御手段１３を備えている。これにより、スタンバイモードによる図形や文字が表示されていない非表示画面２２をタッチ操作した際、使用頻度の高くない動作工程画面２１が復帰して表示されるのではなく、使用頻度の高い動作設定画面２０を自動的に表示部１０に表示させることができるから、ユーザーの目的に適った動作設定画面２０に自動的に切り換え表示することが可能となる。よって、煩雑な操作を解消でき利便性の向上を図ることが可能となる。
【００１８】
以上、本実施形態の一例を詳述したが、本発明は、前記実施形態に限定されるものではなく、本発明の要旨の範囲内で種々の変形実施が可能である。上記一例では、タッチ操作した際に表示される画面を動作設定画面２０としているが、この動作設定画面２０に代えて、図４に示した、ユーザーが使用頻度の高い項目として予め選択設定した選択項目と該選択項目に対応する数値を表す「選択項目画面２０ａ」、或いは、図５に示した、ユーザーが使用頻度の高い画面として予め設定した、各種項目を選択可能に表示した「ユーザー指定画面２０ｂ」としてもよい。なお、前記「選択項目画面」について、ユーザーが所望する選択項目を選択表示できるよう設定する場合には、図６に示した設定画面２５で選択設定することができ、同図に示すように、矩形欄にチェックマークを入れることで、チェックした項目及び対応する数値等が選択項目画面２０ａとして画面表示されることになる。
【符号の説明】
【００１９】
１  射出成形機
２  金型
３  型締ユニット
４  キャビティ
５  射出ユニット
６  成形機構部
１０  表示部
１１  入力部
１２  タッチパネル
１３  制御手段
１４  入力処理手段
１５  タイマ部
２０  動作設定画面
２０ａ  選択項目画面
２０ｂ  ユーザー指定画面
２１  動作工程画面
２２  非表示画面
２５  設定画面
【図１】
0005782288.tif 000002
【図２】
0005782288.tif 000003
【図３】
0005782288.tif 000004
【図４】
0005782288.tif 000005
【図５】
0005782288.tif 000006
【図６】
0005782288.tif 000007